(57)【要約】【課題】光ディスクのレーザーパワーの制御により、再生と記録の変化点でもＡＰＣ回路を継続して動作させると共に、その変換点でのＡＰＣ回路の過渡応答を最小化する。【解決手段】再生時のリードパワー発光の状態において、高周波電流を重畳したときと、重畳しないときとの制御信号の差分である制御量差ΔＩｒを算出する（Ｓ１）。次に、制御量差ΔＩｒと同等のレーザーダイオード駆動電流を与える制御量ΔＩ１に変換する（Ｓ２）。所定のボトムパワー値として必要な必要制御量ΔＩｂを計算する（Ｓ３）。ΔＩｂとΔＩ１とを加算した値Ｉｂをボトムパワーの出力制御量として求める（Ｓ４）。Ｉｂに応じた駆動電流がレーザーダイオードに供給されてボトムパワーのレーザー光が発光される。再生時は高周波電流の重畳オン、記録時は高周波電流の重畳オフとすることにより生じるレーザーダイオード駆動電流の増減による過渡応答を最小にすることができる。【選択図】図２
2009158041.tif 000002
【特許請求の範囲】
【請求項１】
光ディスクに対して情報を記録し又は再生するためにレーザーダイオードから出射されたレーザー光の発光量を検出する発光量検出手段からの信号と基準電圧とのレベル差に応じた制御信号を生成し、その制御信号に高周波電流を重畳して又は重畳することなく生成した駆動信号を前記レーザーダイオードにフィードバックして前記レーザー光の発光量を前記基準電圧に応じた値に制御するＡＰＣ回路を１系統備えた光ディスク装置におけるレーザーパワー制御方法であって、
再生時の目標レーザーパワーで、かつ、前記高周波電流を重畳したときの前記駆動信号による第１のレーザーパワー制御量と、前記再生時の目標レーザーパワーで、かつ、前記高周波電流を重畳しないときの前記駆動信号による第２のレーザーパワー制御量との差分である制御量差を算出する第１のステップと、
前記制御量差を、その制御量差と同等のレーザーパワー制御量である第１の制御量に変換する第２のステップと、
記録時の特定チャネルの発光すべきパワー量から前記駆動信号によるレーザーパワーの必要制御量を計算する第３のステップと、
前記必要制御量と前記第１の制御量とを加算して得た第２の制御量を、前記特定チャネルのレーザーパワー制御量とする第４のステップと
を含むことを特徴とするレーザーパワー制御方法。
【請求項２】
前記光ディスク装置は、記録時にそれぞれ異なる前記レーザーダイオード駆動電流が設定された複数の電流設定チャネルのオン・オフをストラテジに応じて切り替え制御して前記光ディスクに対して記録を行う装置であり、前記特定チャネルは、前記複数の電流設定チャネルのうち最もレーザーパワーの小なるボトムパワー用のレーザーダイオード駆動電流の電流設定チャネルであり、
前記第１及び第２のステップは、前記光ディスク装置の起動時に前記レーザーダイオードを再生時の目標レーザーパワーでレーザー光を出射させて実行すること特徴とする請求項１記載のレーザーパワー制御方法。
【発明の詳細な説明】
【技術分野】
【０００１】
本発明はレーザーパワー制御方法に係り、特に光ディスクに対して情報を記録するためのレーザー光の劣化時のパワー値を補償するレーザーパワー制御方法に関する。
【背景技術】
【０００２】
現在、光ディスクには再生専用のコンパクトディスク（ＣＤ）、ＤＶＤ−ＲＯＭ、ＢＤ−ＲＯＭ及び記録可能なＣＤ−Ｒディスク、ＤＶＤ−Ｒ、ＢＤ−Ｒディスク等がある。記録可能な光ディスクについては、記録特性の改善のために記録時のレーザーに複数のパワー値を持たせてその複数のパワー値を切り替えて記録を行うというストラテジという概念が導入され、様々なストラテジ方式が提案されている。
【０００３】
それに伴い、レーザーダイオードから出射されるレーザー光の複数のパワー値について適切な発光量を制御するために、複数のチャネルのパワー対電流加算量の特性といった必要な条件情報を予め製造工程において求めて記憶しておき、実際に記録動作をさせる際にその情報に基づいてレーザー光の各パワー値を設定するといった手法が取り入れられている。
【０００４】
しかしながら、レーザーダイオードは、温度変化或いは経時変化あるいは劣化といわれる特性の変化があり、特に閾値電流の変化については変化量も大きく、また、近年の小型化、高出力化に伴って温度上昇の時間的変化が速くなってきており、レーザーダイオードの周囲温度の測定結果からの補正を行うような手法にも応答時間及び精度に限界がある。
【０００５】
また、レーザーダイオードの発光パワーを安定化させる手段として、ＡＰＣ(Automatic Power Control:自動パワー制御)回路が知られている。このＡＰＣ回路は、レーザーダイオードから出射したレーザー光の一部を光検出器にて受光し、発光パワーに比例して発生するモニタ電流を用いてレーザーダイオードの駆動電流を制御する構成である。しかし、ＡＰＣ回路を記録時と再生時とで共用した場合、再生から記録及び記録から再生への変化点で制御量の違いから過渡応答を生じる。
【０００６】
例えば、再生から記録に切り替えた時点では、図６（Ａ）に示すように、発光量（記録パワー）が安定せず、また、同図（Ｂ）に示すようにＡＰＣ回路によるレーザーダイオードのレーザー電流制御量も過渡応答を生じる。なお、図６（Ｃ）は再生記録区間識別波形を示しており、ハイレベルが記録区間、ローレベルが再生区間を示す。
【０００７】
また、再生動作と記録動作の一方から他方へ切り替えたときのレーザー光源の異常発光を防止するために、上記の動作切替時にはＡＰＣ制御を継続せずに一時的にＡＣＣ(Automatic Current Control)による電流値一定の制御に切り替えることにより、ＡＰＣ回路の過渡応答期間中でも、ＡＣＣによるレベルでレーザー光源を発光させるようにしたレーザーパワー制御装置も従来知られている（例えば、特許文献１参照）。
【０００８】
【特許文献１】特開２００３−０３７３３２号公報
【発明の開示】
【発明が解決しようとする課題】
【０００９】
上述のように、再生動作と記録動作の一方から他方へ切り替えたときは、従来はＡＰＣ回路のループ特性からある程度の時定数を持つことが避けられないため、ＡＰＣ回路の過渡応答時間が記録の高速化に伴って無視できなくなってきている。同様に、記録の高速化に伴ってボトムパワー値の取得が困難になり、ボトムパワーに直接ＡＰＣ回路による制御を行うことも困難になりつつある。
【００１０】
更に、上記の特許文献１記載の発明は、再生動作と記録動作の一方から他方へ切り替えたときは、ＡＣＣによるレベルでレーザー光源を発光させるようにしたものであり、異常発光は防止できても、切替直後ではＡＰＣ回路による制御ができないため、正しいレーザーパワーの制御ができず、近年の記録密度の上昇から同じ時間内のデータ量が増えているため、過渡状態での記録品位の低下が無視できない。
【００１１】
本発明は以上の点に鑑みなされたもので、再生と記録の変化点でもＡＰＣ回路を継続して動作させると共に、その変換点でのＡＰＣ回路の過渡応答を最小化し得るレーザーパワー制御方法を提供することを目的とする。
【課題を解決するための手段】
【００１２】
上記の目的を達成するため、本発明は、光ディスクに対して情報を記録し又は再生するためにレーザーダイオードから出射されたレーザー光の発光量を検出する発光量検出手段からの信号と基準電圧とのレベル差に応じた制御信号を生成し、その制御信号に高周波電流を重畳して又は重畳することなく生成した駆動信号をレーザーダイオードにフィードバックしてレーザー光の発光量を基準電圧に応じた値に制御するＡＰＣ回路を１系統備えた光ディスク装置におけるレーザーパワー制御方法であって、
再生時の目標レーザーパワーで、かつ、高周波電流を重畳したときの駆動信号による第１のレーザーパワー制御量と、再生時の目標レーザーパワーで、かつ、高周波電流を重畳しないときの駆動信号による第２のレーザーパワー制御量との差分である制御量差を算出する第１のステップと、制御量差を、その制御量差と同等のレーザーパワー制御量である第１の制御量に変換する第２のステップと、記録時の特定チャネルの発光すべきパワー量から駆動信号によるレーザーパワーの必要制御量を計算する第３のステップと、必要制御量と第１の制御量とを加算して得た第２の制御量を、特定チャネルのレーザーパワー制御量とする第４のステップとを含むことを特徴とする。
【００１３】
この発明では、再生時は高周波電流を上記制御信号に重畳し、記録時は高周波信号を上記制御信号に重畳しない光ディスク装置において、記録時と再生時とのレーザーパワー制御量差を補正したレーザーパワー制御量を得ることができる。
【００１４】
また、上記の目的を達成するため、本発明は、光ディスク装置は、記録時にそれぞれ異なるレーザーダイオード駆動電流が設定された複数の電流設定チャネルのオン・オフをストラテジに応じて切り替え制御して光ディスクに対して記録を行う装置であり、上記の特定チャネルは、複数の電流設定チャネルのうち最もレーザーパワーの小なるボトムパワー用のレーザーダイオード駆動電流の電流設定チャネルであり、上記の第１及び第２のステップは、光ディスク装置の起動時にレーザーダイオードを再生時の目標レーザーパワーでレーザー光を出射させて実行することを特徴とする。
【発明の効果】
【００１５】
本発明によれば、再生と記録の変化点における過渡応答を最小に抑えることができる。また、本発明によれば、再生と記録の変化点でもＡＰＣ回路を継続して動作させるため、上記変化点でＡＰＣ回路の動作を休止させる方法に比べて、常に正しいレーザーパワーの制御ができる。
【発明を実施するための最良の形態】
【００１６】
次に、本発明の実施の形態について図面と共に説明する。
【００１７】
図１は、本発明になるレーザーパワー制御方法が適用される光ディスク装置の一実施の形態の構成図を示す。同図に示すように、光ディスク装置１０は、光ディスク１を回転するスピンドルモータ２と、光ディスク１に対してレーザー光を照射して情報を記録し、また光ディスク１からの反射光を受光して再生信号等を生成するためのピックアップ３と、フロント・エンド・プロセッサ（ＦＥＰ）４と、ディジタル・シグナル・プロセッサ（ＤＳＰ）５と、ピックアップ３内のレーザー光源であるレーザーダイオード（図示せず）に駆動電流を供給するレーザードライバ６と、ピックアップ３内の対物レンズ（図示せず）の位置を変位させるアクチュエータを駆動するための駆動電流を供給するアクチュエータドライバ７などから構成される。
【００１８】
ピックアップ３はレーザーダイオードから出射されたレーザー光を対物レンズにより光ディスク１の信号面に照射して光ディスク１に情報を記録し、また、照射したレーザー光に基づく光ディスク１からの反射光を光検出器（ＰＤ）で受光して得た信号に基づいて、再生ＲＦ信号、各種エラー信号（ＰＤ信号）などを生成する光学系及び信号処理系を有すると共に、レーザーダイオードの出射光量（レーザー発光量）を検出する発光量検出手段を構成するフロントモニタダイオードがレーザーダイオードの近傍位置に設けられている。
【００１９】
更に、ピックアップ３は、アクチュエータにより上記の対物レンズを光ディスク１の信号面に対して垂直方向（フォーカス方向）に微小変位させてレーザー光を光ディスク１の信号面上のピットに焦点一致させると共に、上記の対物レンズの光軸を光ディスク１の半径方向（トラッキング方向）に微小変位させて信号面上のトラックにレーザー光のスポットを追従走査させる公知の構成である。
【００２０】
ピックアップ３によって読み取られた信号はＦＥＰ４に供給され、ここで再生信号として増幅及び波形整形がなされた後、ＤＳＰ５へと取り込まれて信号処理され、復調後再生データとして光ディスク装置の外へ転送される。また、ピックアップ３から検出されたＰＤ信号に基づいて、ＦＥＰ４内でサーボを掛けるための各種エラー信号が生成される。このエラー信号はＤＳＰ５へ取り込まれてサーボを掛けるために必要な加工がなされた後、アクチュエータ制御信号としてアクチュエータドライバ７に供給され、更にアクチュエータドライバ７からピックアップ３内の図示されていないアクチュエータを駆動して、前記対物レンズを適切な位置に変位させるトラッキング制御及びフォーカス制御を行う。
【００２１】
また、ピックアップ３から出力された再生信号は、ＦＥＰ４にてウォブル信号が検出される。このウォブル信号は、光ディスク１のトラックが予め一定周期でディスク半径方向に微小振動（ウォブル）させて形成されているのに対応した信号である。ＤＳＰ５は、このウォブル検出信号に基づいて、記録のための記録クロックを生成し、記録時にはその記録クロックが目標の周波数になるようにスピンドルドライバ８へのコントロール信号を制御して適切な回転数を得る。
【００２２】
更に、ピックアップ３内のフロントモニタダイオードから出力された、レーザー発光量に応じたレベルのフロントモニタ信号は、ＦＥＰ４にて目標とするレーザーパワーになるような基準電圧と比較され、その比較結果に応じた誤差電圧に変換された後、その誤差電圧が適切なゲイン、帯域に加工された後レーザードライバ６へ供給されてレーザー駆動信号を生成させる。このレーザー駆動信号はピックアップ３内のレーザーダイオードに供給されて、レーザーダイオードから出射されるレーザー光の発光パワーを前記基準電圧に応じた適切な値に保つ動作をさせる。上記のピックアップ３内のレーザーダイオード→フロントモニタダイオード→ＦＥＰ４→レーザードライバ６→レーザーダイオードからなる一巡のフィードバックループは、ＡＰＣ回路を構成している。
【００２３】
また、レーザードライバ６は、数百ＭＨｚの高周波電流を発生する高周波発振回路と、ＦＥＰ４からの制御信号（電圧）に応じた直流分の電流を生成する電圧−電流変換回路と、上記の直流分の電流と上記の高周波電流とを加算する加算回路とが設けられており、加算後の電流を駆動電流としてピックアップ３内のレーザーダイオードに供給する構成とされている。レーザードライバ６は、外部からの記録再生制御信号に基づいて、再生時には上記の高周波発振回路をオンとして上記の直流分の電流に高周波電流を加算した駆動電流を出力させるが、記録時には上記の高周波発振回路をオフとして高周波電流の加算重畳は行わず、上記の直流分の電流に応じた駆動電流を出力する。ただし、上記のＡＰＣ回路は、記録中及び再生中のいずれもレーザーダイオードの発光量制御を行う。
【００２４】
なお、レーザードライバ６は、記録時の駆動電流を定める電流設定チャネルを予め複数用意しており、チャネル切替により、レーザーパワーをボトムパワー、イレースパワー、ピークパワーなどに適宜切り替えができるようにされている。すなわち、記録時は、外部からの記録データにエラー訂正のための付加信号及び変調を行って得た変調後データから、前記記録クロックに同期して適切に記録するためのストラテジをＤＳＰ５にて生成し、ＤＳＰ５からストラテジに応じてレーザードライバ６の複数の電流設定チャネルのオン・オフをコントロールして光ディスク１の信号面に断続するピットの列をトラックとして形成させる。また、各チャネルの制御出力と発光パワーに関する条件情報はＤＳＰ５内の不揮発性メモリ（図示せず）に記憶されている。
【００２５】
ここで、ピットを形成する期間では、レーザー光を光強度が最大の上記ピークパワーと光強度が最小の上記ボトムパワーとを交互に切り替えて光ディスクに照射し、ピットとピットとの間のピットを形成しない期間では、レーザー光を上記ピークパワーとボトムパワーの中間の光強度の上記イレースパワーで光ディスクに照射する。ここで、上記のＡＰＣ回路は、温度変化などによるレーザーダイオードの入力電流対出力パワー特性の変化があった場合でも、安定した記録が行われるように、例えば、イレースパワー送出タイミングでサンプリングした駆動電流の値が所定値になるように制御動作を行っている。
【００２６】
そして、レーザードライバ６は、上記のＡＰＣ動作により得られた駆動電流の値に第１の固定値を加算してピークパワーの駆動電流を生成し、第２の固定値を加算してイレースパワーの駆動電流を生成し、第３の固定値を加算してボトムパワーの駆動電流を生成する。また、ＡＰＣ回路は、上記と同様に、再生時のレーザー光のリードパワーを、安定した再生が行われるように所定値に制御する。
【００２７】
（第１の実施の形態）
次に、本発明のレーザーパワー制御方法の実施の形態について説明する。図２は本発明になるレーザーパワー制御方法の第１の実施の形態のフローチャートを示す。この図２のフローチャートは、記録開始前の記録パワー設定計算時に実施される。
【００２８】
本実施の形態では重畳分補正処理を行う。ここで、「重畳分」とは、再生時の高周波電流を重畳するときのＦＥＰ４から出力される制御信号によるレーザーパワー制御量（以下、単に制御量ともいう）と、再生時と同じ目標レーザーパワー（リードパワー）で、かつ、記録時と同じ高周波電流を重畳しないときのＦＥＰ４から出力される制御信号によるレーザーパワー制御量との差分である。
【００２９】
まず、再生時のリードパワー発光の状態において、前記高周波電流を重畳したとき（重畳オン）と、重畳しないとき（重畳オフ）とのＦＥＰ４の出力制御信号の差分である制御量差（すなわち、上記の重畳分）ΔＩｒを算出する（ステップＳ１）。ここで、ピックアップ３から再生時のリードパワーのレーザー光を出射させた状態において、通常の再生時と同様に高周波電流を重畳したときのフロントモニタダイオードの出力信号をＤＳＰ５で測定して得られた重畳オンのレーザーパワー制御量と、記録時と同様に高周波電流を重畳しないときのフロントモニタダイオードの出力信号をＤＳＰ５で測定して得られた重畳オフのレーザーパワー制御量とは予め測定して、ＤＳＰ５内の不揮発性メモリ（図示せず）に記憶されており、その記憶情報から上記のステップＳ１で高周波電流の重畳オン／オフでの制御量差を計算する。
【００３０】
次に、ステップＳ１で求めた制御量差ΔＩｒを、制御量差ΔＩｒと同等の記録時の特定チャネルのレーザーダイオード駆動電流を与える制御量ΔＩ１に変換する（ステップＳ２）。ここで、前述したように、記録時にはレーザードライバ６のそれぞれ異なる駆動電流が設定された複数の電流設定チャネルのオン・オフをＤＳＰ５からストラテジに応じて切替制御して光ディスク１に対して記録を行っているが、上記の特定チャネルは、ここではボトムパワーを担当するチャネルとしている。
【００３１】
続いて、光ディスク１毎の最適なパワー量である発光すべきパワー量から所定のボトムパワー値として必要なＦＥＰ４の出力制御信号の必要制御量ΔＩｂを計算する（ステップＳ３）。つまり、所定のボトムパワーを得るために必要な制御量ΔＩｂを計算する。そして、最終的に出力される制御量として、ステップＳ３で求めた必要制御量ΔＩｂと、ステップＳ２で求めた補正に必要な制御量ΔＩ１とを加算した値Ｉｂを補正用の特定チャネルの出力制御量、すなわちボトムパワーの出力制御量として求める（ステップＳ４）。この出力制御量Ｉｂに応じた駆動電流がレーザーダイオードに供給されてボトムパワーのレーザー光が発光される。
【００３２】
なお、上記の出力制御量Ｉｂに第１の固定値を加算した値の制御量に応じた駆動電流で駆動されたレーザーダイオードからイレースパワーのレーザー光が出射され、上記の出力制御量Ｉｂに第２の固定値を加算した値の制御量に応じた駆動電流で駆動されたレーザーダイオードからピークパワーのレーザー光が出射される。
【００３３】
ここで、ＡＰＣ回路によりレーザーパワーを目標値に制御する場合、通常は系の安定性から制御信号に帯域制限をかけるので測定時から制御時までは必ず時間遅れが生じる。また、再生と記録とで同一目標レーザーパワーに設定したとしても、再生時では高周波電流の重畳オン、記録時では高周波電流の重畳オフとするため、前述した重畳分に相当するレーザーダイオード駆動電流の増減が発生する結果、記録と再生の一方から他方への切替時点で前記の過渡応答が発生する。また、この過渡応答は、計算誤差や制御量測定時と記録開始時の温度差によっても変化する。
【００３４】
しかし、本実施の形態によれば、図２のフローチャートの処理は記録開始直前に制御量を取得して計算しているため、上記の制御量測定時と記録開始時の温度差は殆ど生じず、また、上記の重畳分に相当するレーザーダイオード駆動電流の増減を補正した補正用の特定チャネルの出力制御量Ｉｂを決定しているので、上記の過渡応答は殆ど発生しない。このように、本実施の形態によれば、再生と記録の変化点における過渡応答を最小に抑えることが可能となり、その結果として、ＡＰＣ回路に必要な帯域制限を任意に設定することができる。
【００３５】
図５は本実施の形態のレーザーダイオードの発光量の変化とＡＰＣ制御量等を示す。すなわち、図５（Ｃ）に模式的に示すように、時刻ｔ１で再生から記録に切り替わった時に、同図（Ｂ）に示すように、高周波電流の重畳オンの再生時と高周波電流の重畳オフの記録時とでＡＰＣ回路による制御量は殆ど変化せず、これにより、同図（Ａ）に示すように記録開始直後のレーザーダイオードの発光量（イレース発光量）は極めて安定しており、過渡応答は殆ど発生していないことが分かる。
【００３６】
なお、図２において、ステップＳ３までの処理に関しては生産工程毎で実施して予め計算してしまい補正制御量として、不揮発性メモリに残しておくことも可能である。また、本実施の形態では、ＡＰＣ回路により例えば、イレースパワー送出タイミングでサンプリングした駆動電流の値が所定値になるようにＡＰＣ動作を行って得た制御量からボトムパワーの補正出力量Ｉｂを算出し、更にそのボトムパワーの補正出力量に基づいて他のピークパワーやイレースパワーの制御量を得るようにしたが、ボトムパワー、ピークパワー、イレースパワーのそれぞれについて別々にＡＰＣ回路により所定のタイミングでサンプリングした駆動電流の値が所定値になるようにＡＰＣ動作を行って得た制御量から補正出力量を算出するようにしてもよい。
【００３７】
（第２の実施の形態）
次に、本発明の第２の実施の形態について説明する。図３は本発明になるレーザーパワー制御方法の第２の実施の形態の要部のフローチャート、図４は本発明になるレーザーパワー制御方法の第２の実施の形態の他の要部のフローチャートを示す。すなわち、本実施の形態では、図３のフローチャートによる重畳分補正量算出処理と、図４のフローチャートによるボトムパワー設定処理を行う。図３の重畳分補正量算出処理は、起動時又は電源オン時の初めの動作など、光ディスク１の再生／記録に入るまでの間に実施され、図４のボトムパワー設定処理は、記録開始前の記録パワー設定計算時に実施される。
【００３８】
本実施の形態では、まず、光ディスク装置の起動時、又は光ディスク１の再生／記録に入るまでの間に、再生発光パワーを設定してピックアップ３から再生パワーのレーザー光を発光させる（図３のステップＳ１１）。この状態で、続いてＦＥＰ４によりピックアップ３内のフロントモニタダイオードから出力された信号と基準電圧との比較結果に応じた制御信号からレーザードライバ６で得た直流分に高周波電流を重畳したときのＦＥＰ４から出力される制御信号のレーザーダイオード制御量を測定し（図３のステップＳ１２）、上記と同じ目標レーザーパワーでの高周波電流を重畳しないときのＦＥＰ４から出力される制御信号のレーザーダイオード制御量を測定する（図３のステップＳ１３）。
【００３９】
続いて、ステップＳ１２で測定した高周波電流重畳オン時の制御量とステップＳ１３で測定した高周波電流重畳オフ時の制御量との差分である制御量差を算出する（図３のステップＳ１４）。次に、ステップＳ１４で求めた制御量差と同等のレーザー電流を与える重畳分補正制御量ΔＩ１に変換し（図３のステップＳ１５）、その重畳分補正制御量ΔＩ１を例えばＤＳＰ５内の不揮発性メモリに記憶する（図３のステップＳ１６）。このように、本実施の形態では、まず、ステップＳ１１〜Ｓ１５で光ディスク装置の起動時に再生パワーを発光させて、高周波電流重畳のオン／オフでの制御量差を学習し、ステップＳ１６でその学習結果である重畳分補正量を記憶する。
【００４０】
その後、記録開始前の記録パワー設定計算時に、まず、ボトムパワー加算分Δbottomを、記録時におけるボトムパワーＰbottomから再生時におけるリードパワーＰreadを差し引くことで求める（図４のステップＳ２１）。続いて、上記のボトムパワー加算分Δbottomを、それと同等のレーザーダイオード駆動電流を与える制御量ΔＩbに変換する（図４のステップＳ２２）。続いて、この制御量ΔＩbを、ＤＳＰ５内の不揮発性メモリに記憶しておいた重畳分補正制御量ΔＩ１と加算して補正用チャネルの制御量Ｉbを求める（図４のステップＳ２３）。最後に、ステップＳ２３で求めた補正用チャネルの制御量Ｉbを、記録時のボトムパワーにおけるレーザーダイオード駆動電流を与える制御量に設定する（ステップＳ２４）。記録時の他のピークパワー、バイアスパワーの各制御量は、上記の制御量Ｉｂにそれぞれ所定の固定値を加算することで求める。
【００４１】
このように、本実施の形態は、計算の手順に関しては第１の実施の形態とほぼ同様であるが、図３のフローチャートに従って光ディスク装置の起動時で、光ディスク１が記録又は再生を開始する前に、予め再生パワーを発光させて高周波電流の重畳のオン／オフでの制御量差を測定して重畳分補正量までを求めて記憶しておくことを特徴とする。本実施の形態では、第１の実施の形態と同様に、記録及び再生の一方から他方に切り替わったときの過渡応答を最小に抑圧できると共に、レーザーダイオードの経年変化やレーザーダイオード周辺の温度変化に対するレーザーパワー制御量の輝度向上の効果が期待できる。
【００４２】
なお、本実施の形態では起動時を例としたが、大幅な温度変化を検出した際に前記学習を実施して重畳分の補正を行うことも可能である。
【図面の簡単な説明】
【００４３】
【図１】本発明のレーザーパワー制御方法が適用される光ディスク装置の一実施の形態の構成図である。
【図２】本発明のレーザーパワー制御方法の第１の実施の形態のフローチャートである。
【図３】本発明のレーザーパワー制御方法の第２の実施の形態の要部のフローチャートである。
【図４】本発明のレーザーパワー制御方法の第２の実施の形態の他の要部のフローチャートである。
【図５】本発明の一実施の形態による再生から記録への過渡応答波形例である。
【図６】従来の再生から記録への過渡応答波形の一例である。
【符号の説明】
【００４４】
１  光ディスク
２  スピンドルモータ
３  ピックアップ
４  ＦＥＰ（フロントエンドプロセッサ）
５  ＤＳＰ（デジタルシグナルプロセッサ）
６  レーザードライバ
７  アクチュエータドライバ
８  スピンドルドライバ
【図１】
2009158041.tif 000003
【図２】
2009158041.tif 000004
【図３】
2009158041.tif 000005
【図４】
2009158041.tif 000006
【図５】
2009158041.tif 000007
【図６】
2009158041.tif 000008